(57)【要約】      （修正有）【課題】ブラカップのエッジと下着のその他の部分との間の繋ぎ部分をスムースに繋ぎ、女性用下着のブラカップの魅力的な外観と優れた着心地を持たせるためのスムースな縫い目構造を提供する。【解決手段】この縫い目構造は、ブラカップ、連結布地、および縫い糸からなり、当該ブラカップは裏地の層と表地の層とからなり、裏地の層と表地の層が一緒にオーバーラップした位置のエッジ部において千鳥縫いされており、裏地の層の当該エッジは表地の層のエッジよりも飛び出しており、前記連結布地は飛び出した裏地のエッジ上にオーバーラップすると共に、表地の層と連結し、当該連結部において表地の層、裏地の層、および連結布地を縫い合わせるために湾曲した縫い糸を使用するようにしている。【選択図】図４
0003113252.tif 000002
【実用新案登録請求の範囲】
【請求項１】
女性用下着のブラカップのスムースな縫い目構造であって、ブラカップ(7)、連結布地(2)、および縫い糸からなり、当該ブラカップの裏地の層(3)と表地の層(1)は一緒にオーバーラップし、裏地の層(3)と表地の層(1)が一緒にオーバーラップした位置のエッジ部において千鳥縫いされており、裏地の層(3)の当該エッジは表地の層(1)のエッジよりも飛び出しており、前記連結布地(2)は飛び出した裏地の層(3)のエッジ上にオーバーラップすると共に、表地の層(1)と連結し、当該連結部(5)において表地の層(1)、裏地の層(3)、および連結布地(2)を縫い合わせるために湾曲した縫い糸(4)を使用することを特徴とする縫い目構造。
【請求項２】
請求項1に記載した女性用下着のブラカップのスムースな縫い目構造であって、前記ブラカップ(7)が、スポンジ製のブラカップ、糸を充填したブラカップ、あるいは厚手の織布を使用したブラカップであることを特徴とする縫い目構造。
【請求項３】
請求項1に記載した女性用下着のブラカップのスムースな縫い目構造であって、前記連結布地(2)が、レース布地、ニット布地、あるいはシャトル織布地であることを特徴とする縫い目構造。
【考案の詳細な説明】
【技術分野】
【０００１】
本考案は、特に女性用下着に関する服装分野であって、スムースな縫い目構造を有する女性用下着のブラカップに係る。
【背景技術】
【０００２】
従来技術にあっては、ブラジャーのような女性用下着の種々の部分を縫い合わせるために、オーバーラップした構造が一般的に用いられていた。そのため、ブラカップと下着のその他の部分との縫い目は相対的に厚く、その表面が平らではなかった。このようなブラカップは、単層構造であり、ブラカップのエッジにはかがり縫いを一般的に適用しており、そのため厚さの厚いものとなっていた。このことによって、ブラジャーのような下着のブラカップとその他の部分との繋ぎ部分が突起したり平らでない縫い目が生じ、着用者の外観に影響を与えていた。特に、上着が軽く薄いものである場合には、ブラカップの突起した、平らでないエッジが分かり、着用者の外観全体に大きな影響を与えていた。加えて、ブラカップの突起した、平らでない構造は着用者の着心地にも影響を及ぼしていた。
【考案の開示】
【考案が解決しようとする課題】
【０００３】
本考案が解決しようとする課題は、ブラカップのエッジと下着のその他の部分との間の繋ぎ部分をスムースに繋ぎ、女性用下着のブラカップの魅力的な外観と優れた着心地を持たせるためのスムースな縫い目構造を提供することである。
【課題を解決するための手段】
【０００４】
上述した課題を解決するため、本考案では以下に説明するような方法を取った。
【０００５】
女性用下着のブラカップのスムースな縫い目構造であって、ブラカップ、連結布地、および縫い糸からなり、当該ブラカップは裏地の層と表地の層とからなり、裏地の層と表地の層が一緒にオーバーラップした位置のエッジ部において千鳥縫いされており、裏地の層の当該エッジは表地の層のエッジよりも飛び出しており、前記連結布地は飛び出した裏地の層のエッジ上にオーバーラップすると共に、表地の層と連結し、当該連結部において表地の層、裏地の層、および連結布地を縫い合わせるために湾曲した縫い糸を使用するようにしている。
【０００６】
前記ブラカップは、スポンジ製のブラカップ、糸を充填したブラカップ、あるいは厚手の織布を使用したブラカップであっても良い。
【０００７】
前記連結布地は、レース布地、ニット布地、あるいはシャトル織布地であっても良い。
【考案の効果】
【０００８】
本考案は、ブラジャーのような下着のブラカップとその他の部分の繋ぎ部分において、突起した平らでない縫い目を無くし、ブラカップのスムースな縫い目を実現するものである。ブラカップのわき縫いを行うための縫い目構造を応用することにより、ブラカップの薄いエッジを実現することができ、Tシャツのような女性用胴着を下に着用しているときに経験できる、下着を着用していないような着心地を求める消費者の下着に対するニーズを満足させることができる。下着に加えて、本考案はスムースな移行部分を必要とするその他の服飾製品に適用することもできる。従来技術の対応部分と比べ、本考案における縫い目構造は着用者の着心地を改善することもできる。
【考案を実施するための最良の実施形態】
【０００９】
以下に、図1, 2, 3,および4に基づき、本願考案の好適な実施例についての詳細な説明を行う。
【００１０】
実施例1: 図1および4を参照
本実施例においては、本願考案の縫い目構造が、女性用ブラジャーのブラカップ7とブラジャー本体6との間の接続部分に使用されている。ここで、前記ブラカップ7はブラカップの裏地の層3と表地の層1が互いにオーバーラップした2層構造となっている。裏地の層3と表地の層1が互いにオーバーラップしているエッジ部分では千鳥縫いが行われており、裏地の層3の前記エッジは表地の層1のエッジよりも飛び出している。連結布地2は裏地の層3の飛び出したエッジの上でオーバーラップしており、表地の層1のエッジと連結されている。この連結部分5において、表地の層1と裏地の層3と連結布地2を縫い合わせるために湾曲した縫い糸4が使用されている。従って、2層構造を有するブラカップ7と連結布地2の間の縫い目をスムースにすることが可能となる。この縫い目構造は、湾曲した縫い糸4がブラカップの裏地の層3と表地の層1のエッジを縫い合わせ、固定するのみならず、湾曲した縫い糸4が連結布地2をも固定するように機能するものである。図4から分かるように、この縫い目構造は、オーバーラップした突起部分を設けることなくブラカップの表地の層1と連結布地2の間をスムースな面を構成するように縫い合わせることができる。そのため、スムースな面を持ったブラジャーを実現することができ、着用者の着心地を改善することができる。この実施例においては、前記ブラカップ7は、2層構造を有するスポンジ製のブラカップであり、前記連結布地2は通常のニット布地、あるいはシャトル織布地であっても良い。
【００１１】
実施例2: 図2および4を参照
ブラジャーの装飾的効果を高めるため、本願考案におけるブラカップ7には2層構造を有するスポンジ製の構造を採用し、連結布地6にはレース布地が用いられている。本実施例のその他の部分については、実施例1で説明したものと同一である。
【００１２】
実施例3: 図3を参照
エッジを越える部分の構造の外側表面をスムースにするために、連結布地2を裏地の層3に直接ラップさせることもできる。本実施例のその他の部分については、実施例1で説明したものと同一である。
【図面の簡単な説明】
【００１３】
【図１】本考案の縫い目構造を示した図である。
【図２】本考案の第2の実施例に係る縫い目構造を示した図である。
【図３】本考案の第3の実施例に係る縫い目構造を示した図である。
【図４】本考案の実際の応用例を示した図である。
【符号の説明】
【００１４】
1       表地の層
2       連結布地
3       裏地の層
4       湾曲した縫い糸
5       連結部分
6       ブラジャー本体
7       ブラカップ
【図１】
0003113252.tif 000003
【図２】
0003113252.tif 000004
【図３】
0003113252.tif 000005
【図４】
0003113252.tif 000006